(57)【要約】【課題】  雪を飛ばしたり運んだり出来る高価な除雪機も敷地が狭い市街地では使用できず、雪国での除雪作業は想像以上に重労働である。屋根雪下ろし中の転落や軒先の雪の落下、過労による人的被害を減少する為に体力をあまり必要としない、持ち手付き温熱融雪具を提供する。【解決手段】  先端に斜度を設けた中空の金属製雪受け容器（１）の内部に電気コンロ（３）を設け、持ち手（２）の中間部に電源コントロールボックス（４）を設けた持ち手付き温熱融雪具は、電源スイッチ（１０）を入れ熱くなった雪受け容器（１）で雪をすくい順次融雪して移動していくだけなので腕力は必要なく、近くに流雪溝もなく大雪で雪の捨て場もない場合や、体力的にスコップや除雪用スノッパーでの除雪が困難な時にも楽に融雪が出来る。硬い雪をスコップで切り出す事で肩や腰を痛める事も防止できる。【選択図】図２
2019152082.tif 000002
【特許請求の範囲】
【請求項１】
中空の内部に加熱物を設けた容器に持ち手を付けた持ち手付き温熱融雪具。
【請求項２】
先端に斜度を設けた中空の金属製雪受け容器（１）の内部に電気コンロ（３）を設け、持ち手（２）の上部に電源コントロールボックス（４）を設けた請求項１に記載の持ち手付き温熱融雪具。
【請求項３】
中空の雪落し竿（１６）の先端に、中空の金属製のくの字型に湾曲した筒の内部に電熱ヒーター（１９）を設けた融雪容器（１８）を設けた請求項１に記載の持ち手付き温熱融雪具。
【請求項４】
先端に斜度を設けた中空のＬＰガス用金属製雪受け容器（２１）の内部にガスコンロ（２２）を設け雪受け容器（２１）の後部にガスボンベ置き台（２４）を設けた請求項１に記載の持ち手付き温熱融雪具。
【発明の詳細な説明】
【技術分野】
【０００１】  本発明は、温熱を利用して除雪融雪をする持ち手付き温熱融雪具に関するものである。
【背景技術】
【０００２】  雪国での除雪作業は雪の量及び湿った重い雪など雪の質によっては想像以上に重労働である。数年ごとに又は局地的に見舞われる大雪・豪雪では甚大な被害が持たされている。屋根雪下ろし中の転落や軒先の雪の落下、除雪作業での過労による人的被害も後を絶たず、少子高齢化により若者が少なくなり孤立する地域では高齢者自ら屋根雪下ろしや除雪をせざるを得ず事故が増え、益々除雪作業は過酷なものになってきている。幹線道路では大型重機の普及で除雪・排雪作業は進歩しているがそれ以外の道路や個人住宅地では依然として人力が頼りで、スコップや除雪用スノッパーで雪を小川や側溝へ排雪する他はない。しかし、降雪期には小川や側溝はすぐに雪で溢れ雪捨て場はなくなってしまう。道路は轍で凸凹となり、通学路も容易に除雪できず、車も歩行者も危険にさらされてしまう。物流社会において生活道路の不通は個々の生活にも地域経済にも大きな打撃をもたらす。【０００３】  また軒先の雪の落下に於いては、運悪く大量の雪の落下により重傷を負う事例も多い。従来、長い竿で軒先からはみ出した雪を叩き落すか、アルミ製のＴ字型のひっかき棒で落とす方法がある。しかし雪が凍みて硬い朝では落下させる事は容易ではなく、雪が緩み始めた頃に家にいる主婦や高齢者が叩きひっかき落とす事もかなり腕力が必要で、落とした雪が自分に当たり負傷する事例もある。屋根に積もった雪の重さは、新雪で１立方メートル当たり約３００キログラムと云われ、雨が降り水分を含むと暈は減っても重さは約３から５倍になると云われている。その為、雪国では家屋の庇だけが壊れる事がとても多い。屋根雪下ろしをするまでもない場合でも、軒先の雪はなるべく多く落としておく方がよいとされている。雪を飛ばしたり運ぶ除雪機も高価で、敷地が広くないと使用できない。【０００４】  屋根雪下ろしを依頼した場合の標準作業価格（平成２９年度・福井県大野市）は屋根面積７６平方メートル（約２３坪）当たり１万４８００円。ただし、下ろした雪の処理費用は含まない。原則として弁当や用具は作業員が持参し、交通費は依頼者が実費負担。となっている。一人で屋根雪下ろしをすると約２〜３時間かかり、下ろした雪の処理は、流雪溝や雪捨て場がない場合では、時間も価格も多大になってしまう。
【発明の概要】
【発明が解決しようとする課題】
【０００５】  解決しようとする問題点は、大雪による除雪・排雪に係る重労働を減少し、女性や高齢者でも楽に除雪・排雪作業が出き事故を減らし、たとえ雪捨て場がなくても雪を減らす事が出きる、本発明の持ち手付き温熱融雪具を提供する事にある。
【課題を解決するための手段】
【０００６】  本発明の持ち手付き温熱融雪具は大量の雪や湿った重たい雪をも、スコップや除雪用スノッパーですくっては何度も何度も移動させる事をせず、電源スイッチ（１０）を入れて熱くなった雪受け容器（１）を雪の塊の中へ突っ込み、融雪が終えたら次から次へと移動し体力を使わずに融雪する。屋根の軒先にはみ出した雪に於いても凍みて硬い場合でも、中空の雪落し竿（１６）に設けたくの字型に湾曲した融雪容器（１７）を自分の真上ではなく４０から５０センチメートル横の雪の中へ差し入れ、反対の横方向へゆっくりと横へ約４０センチメートル程移動し一旦雪から引き抜く事で雪の縁が切れて、自分の真上ではなく横へ雪を落下させる。これを繰り返し融雪し縁を切りながら落雪させる事を特徴とする
【発明の効果】
【０００７】  本発明の持ち手付き温熱融雪具は電源スイッチ（１０）を入れ熱くなった雪受け容器（１）で順次融雪していくだけなので近くに流雪溝もなく大雪で雪の捨て場もない場合や、体力的にスコップや除雪用スノッパーでの除雪が困難な時にも楽に融雪が出来る。硬い雪をスコップで切り出す事で肩や腰を痛める事も防止できる。屋根の軒先にはみ出した雪に於いても腕力のない女性や高齢者でも雪が自然に落下する前に雪落し竿（１６）で落しておく事ができ、いつ何時落下するかもしれない事故を防ぐ事ができる。【０００８】  梯子をかけて屋根に上り屋根雪下ろしをする時は、最初は従来のようにスコップ又は除雪用スノッパーで屋根の上に２メートル四方の足場の空間を作り、あらためて本発明の持ち手付き温熱融雪具を使用すると、スコップ又は除雪用スノッパーで屋根の雪をすくっては下へ放り投げるより体力的に楽であり、重労働の、下ろした雪の処理も必要ない。電源コード（９）が作業に不都合な場合は、実施例３のＬＰガス用金属雪受け容器（２１）を使用する事も可能である。【０００９】  本発明の持ち手付き温熱融雪具を用途により大型化、また形状を変えて自動車や鉄道のラッセル車に取り付ける事で、豪雪で除雪・排雪が充分出来ない時も、道路渋滞やラッセルパワー不足での鉄道運休なども緩和、減少する事も可能である
【図面の簡単な説明】
【００１０】
【図１】本発明に係る持ち手付き温熱融雪具の実施例１の斜視図である。
【図２】先端に斜度を設けた中空の金属製雪受け容器（１）の内部に電気コンロ（３）を設け、持ち手（２）の中間部に電源コントロールボックス（４）を設けた請求項２に記載の持ち手付き温熱融雪具の実施例１の一部縦断説明的参考図である。
【図３】請求項２に記載の実施例１の電源コントロールボックス（４）の斜視図である
【図４】中空の雪落し竿（１６）の先端に設けた、中空の金属製のくの字型に湾曲した筒の内部に電熱ヒーター（１９）を設けた筒状の融雪容器（１８）の請求項３に記載の持ち手付き温熱融雪具の実施例２の説明的側面図である。
【図５】中空の金属製のくの字型に湾曲した筒の内部に電熱ヒーター（１９）を設けた筒状の融雪容器（１８）の雪落し竿（１６）との嵌合部の実施例２の説明的側面図である。
【図６】先端に斜度を設けた中空のＬＰガス用金属製雪受け容器（２２）の内部にガスコンロ（２３）を設け雪受け容器（２２）の後部にガスボンベ置き台（２４）を設けた請求項４に記載の持ち手付き温熱融雪具の実施例３の一部縦断説明的参考図である。
【発明を実施するための形態】
【００１１】  図１は本発明に係る持ち手付き温熱融雪具の、先端に斜度を付けた中空の金属製雪受け容器（１）の両側面後部に溶接固定したコの字型の中空の鉄パイプの持ち手（２）を後方斜め上に向け設ける。雪受け容器（１）の上部の先端斜度部以外の三方にはコの字型の雪受け壁（５）を設け、両側面の雪受け壁には水抜け穴（６）を複数個設ける。持ち手（２）の中間部に漏電ブレーカー内臓の防水加工の電源コントロールボックス（４）を設けた実施例１を示す。
【００１２】  図２は、先端に斜度を設けた中空の金属製雪受け容器（１）の内部に設けた電気コンロの発熱部（７）が雪受け容器（１）に密着した電気コンロ（３）を防水絶縁体（８）で覆い、電気コード（９）を雪受け容器（１）の両側面後部に溶接固定したコの字型の中空の鉄パイプ製の持ち手（２）の内部に通し、持ち手中間部の電源コントロールボックス（４）に繋いだ形態を有する実施例１を示す。
【００１３】  図３は、実施例１の電気コード（９）を中空の鉄パイプ製の持ち手（２）の内部に通して、電源コントロールボックス（４）の電源及び強弱コントロールスイッチ（１０）を介した防水プラグ（１１）に繋いだ状態の電源コントロールボックス（４）を示す。前面には防水加工の電源供給コード（１４）のタップ側（１５）を通すコード通し穴（１３）を有する上開きカバー蓋（１２）を設ける。
【００１４】  図４は、アルミ製の中空の雪落し竿（１６）の上部に嵌合する、中空のアルミ製のくの字型に湾曲した筒の内部に電熱ヒーター（１９）を設けた筒状の融雪容器（１８）を設けたの求項３に記載の持ち手付き温熱融雪具の実施例２を示す。
【００１５】  図５は、アルミ製のくの字型に湾曲した筒状の融雪容器（１８）の下部がアルミ製の中空の雪落し竿（１６）に嵌合し、雪落し竿（１６）の上部に設けたストッパー用穴（１７）に筒状の融雪容器（１８）の下部に設けたスプリング式ストッパーピン（２０）が嵌合する状態を示す。。
【００１６】  図６は、先端に斜度を設けた中空のＬＰガス用金属製雪受け容器（２１）の内部にガスコンロ（２２）を設け留め金具（２３）で固定し、ＬＰガス用雪受け容器（２１）の後部に鉄パイプ製のガスボンベ置き台（２４）を設け、ボンベの固定バンド（２５）を設ける。ＬＰガス用金属製雪受け容器（２１）の両側面と後部は酸素供給の空間を設ける。ＬＰガスボンベ（２６）とガスコンロ（２２）をホース（２７）で繋いだ実施例３を示す。
【符号の説明】
【００１７】１  雪受け容器                      ２  持ち手
３  電気コンロ                      ４  電源コントロールボックス
５  雪受け壁                        ６  水抜き穴
７  電気コンロの発熱部              ８  防水絶縁体
９  電気コード                      １０  電源及び強弱コントロールスイッチ
１１  防水プラグ                    １２  カバー蓋
１３  コード通し穴                  １４  電源供給コード
１５  電源供給コードのタップ側      １６  雪落し竿
１７  ストッパー用穴                １８  筒状の融雪容器
１９  電熱ヒーター                  ２０  スプリング式ストッパーピン
２１  ＬＰガス用雪受け容器          ２２  ガスコンロ
２３  留め金具                      ２４  ガスボンベ置き台
２５  固定バンド                    ２６  ガスボンベ
２７  ガスボンベのホース
【図１】
2019152082.tif 000003
【図２】
2019152082.tif 000004
【図３】
2019152082.tif 000005
【図４】
2019152082.tif 000006
【図５】
2019152082.tif 000007
【図６】
2019152082.tif 000008